(57)【要約】【課題】  電子機器の状態に応じて電源装置の消費電力を簡易な構成で抑制することができる技術を提供する。【解決手段】  電源装置は、交流電力を直流電力に変換して出力する電力変換部と、電力変換部が出力する直流電力を電子機器に出力するための直流電力出力線と、直流電力出力線における電流の変化を検出することによって、電子機器へ出力された直流電力の電子機器における消費を監視する消費監視部と、電力変換部への交流電力の入力を許容する入力許容状態と、電力変換部への交流電力の入力を禁止する入力禁止状態とに切り替え可能な切替部と、入力禁止状態から入力許容状態への切り替えを行うための電力を交流電源とは異なる電源から供給する切替電力供給部とを備える。上記切替部は、消費監視部によって監視される電子機器における消費に応じて入力許容状態と入力禁止状態とを切り替える。【選択図】  図２
2012016139.tif 000002
【特許請求の範囲】
【請求項１】
電子機器に直流電力を供給するための電源装置であって、
交流電源から入力される交流電力を直流電力に変換して出力する電力変換部と、
前記電子機器に接続されて前記電力変換部が出力する直流電力を前記電子機器に出力するための直流電力出力線と、
前記直流電力出力線における電流または電圧の変化を検出することによって、前記直流電力出力線から前記電子機器へ出力された直流電力の前記電子機器における消費を監視する消費監視部と、
前記交流電源から前記電力変換部への交流電力の入力を許容する入力許容状態と、前記交流電源から前記電力変換部への交流電力の入力を禁止する入力禁止状態とに切り替え可能な切替部であり、前記消費監視部によって監視される前記電子機器における消費に応じて前記入力許容状態と前記入力禁止状態とを切り替える切替部と、
前記切替部が前記入力禁止状態から前記入力許容状態への切り替えを行うための電力を前記交流電源とは異なる電源から供給する切替電力供給部と、
を備える、電源装置。
【請求項２】
請求項１に記載の電源装置であって、
前記入力許容状態において、前記電力変換部は前記直流電力出力線に第１の電圧を出力し、
前記入力禁止状態において、前記消費監視部は、前記交流電源とは異なる電源を用いて前記直流電力出力線に前記第１の電圧を出力することを特徴とする、電源装置。
【請求項３】
請求項１に記載の電源装置であって、
前記入力許容状態において、前記電力変換部は前記直流電力出力線に第１の電圧を出力し、
前記入力禁止状態において、前記消費監視部は、前記交流電源とは異なる電源を用いて前記直流電力出力線に前記第１の値より低い第２の電圧を出力することを特徴とする、電源装置。
【請求項４】
請求項１ないし請求項３のいずれかに記載の電源装置であって、
前記入力許容状態にある場合において前記直流電力出力線における電流が規定値以下になったことを前記消費監視部が検出した場合に、前記切替部は前記入力許容状態から前記入力禁止状態に切り替えることを特徴とする、電源装置。
【請求項５】
請求項２または請求項３に記載の電源装置であって、
前記入力禁止状態にある場合において前記直流電力出力線における電圧が規定値以下になったことを前記消費監視部が検出した場合に、前記切替部は前記入力禁止状態から前記入力許容状態に切り替えることを特徴とする、電源装置。
【請求項６】
電子機器システムであって、
電子機器と、
電源装置と、
前記電子機器に直流電力を供給するために前記電気機器に接続される第１と第２の配線と、
を備え、
前記電源装置は、
交流電源から入力される交流電力を直流電力に変換して前記第１の配線と前記第２の配線との間に第１の電圧を生成する電力変換部と、
前記交流電源から前記電力変換部への交流電力の入力を許容する入力許容状態と、前記交流電源から前記電力変換部への交流電力の入力を禁止する入力禁止状態とに切り替え可能な切替部と、
を有し、
前記電子機器は、
前記切替部を制御する切替制御部と、
前記交流電源とは異なる電源から前記切替制御部に電力を供給する電力供給部と、
を有し、
前記切替部は、少なくとも前記第１の配線と前記第２の配線との間に前記第１の電圧が生じているときには前記入力許容状態となり、前記第１の電圧とは異なる第２の電圧が前記第１の配線と前記第２の配線との間に生じた場合に前記入力許容状態から前記入力禁止状態に切り替わるように構成され、
前記切替制御部は、前記電力供給部から供給された電力を用いて前記第１の配線と前記第２の配線との間に前記第２の電圧を生成することによって前記切替部を制御することを特徴とする、電子機器システム。
【請求項７】
請求項６に記載の電子機器システムであって、
前記第２の電圧は、前記第１の電圧より大きな電圧であり、
前記切替部は、前記第１の配線と前記第２の配線との間に前記第２の電圧が生じているときに前記入力禁止状態となり、前記第１の配線と前記第２の配線との間に生じている電圧が前記第２の電圧より小さい場合に前記入力許容状態となるように構成されており、
前記切替制御部は、前記電力供給部から供給された電力を用いて前記第１の配線と前記第２の配線との間に前記第２の電圧を生成することにより前記切替部を前記入力禁止状態に制御し、前記第２の電圧の生成をしないことにより前記切替部を前記入力許容状態に制御することを特徴とする、電子機器システム。
【請求項８】
請求項６に記載の電子機器システムであって、
前記第２の電圧は、前記第１の電圧とは正負が逆の電圧であり、
前記切替部は、
前記入力禁止状態にあるときに、前記第１の電圧が前記第１の配線と前記第２の配線との間に生じたことを契機に前記入力許容状態に切り替えられ、
前記入力許容状態にあるときに、前記第２の電圧が前記第１の配線と前記第２の配線との間に生じたことを契機に前記入力禁止状態に切り替えられるように構成されており、
前記切替制御部は、前記電力供給部から供給された電力を用いて前記第１の配線と前記第２の配線との間に前記第２の電圧を一時的に生成することにより前記切替部を前記入力許容状態から前記入力禁止状態に制御し、前記電力供給部から供給された電力を用いて前記第１の配線と前記第２の配線との間に前記第１の電圧を一時的に生成することにより前記切替部を入力禁止状態から前記入力許容状態に制御することを特徴とする、電子機器システム。
【請求項９】
電子機器システムであって、
電子機器と、
電源装置と、
前記電子機器に直流電力を供給するために前記電気機器に接続される第１と第２の配線と、
を備え、
前記電源装置は、
交流電源から入力される交流電力を直流電力に変換して前記第１の配線と前記第２の配線との間に第１の電圧を生成する電力変換部と、
前記交流電源から前記電力変換部への交流電力の入力を許容する入力許容状態と、前記交流電源から前記電力変換部への交流電力の入力を禁止する入力禁止状態とに切り替え可能な切替部と、
前記切替部を制御するための電源側切替制御部と、
を有し、
前記電子機器は、
前記交流電源とは異なる電源から電力を供給する電力供給部と、
前記切替部が前記入力禁止状態にあるときに、前記電力供給部から供給される電力を用いて前記第１の配線と前記第２の配線との間に第２の電圧を生成する機器側切替制御部と、
を備え、
前記電源側切替制御部は、前記切替部が前記入力禁止状態にあるときに、前記第１の配線と前記第２の配線との間に第２の電圧が生成されたときに前記切替部を前記入力禁止状態から前記入力許容状態に切り替えることを特徴とする、電子機器システム。
【請求項１０】
請求項９に記載の電子機器システムであって、
前記電源側切替制御部は、前記切替部が前記入力許容状態にあるときに前記第１の配線または前記第２の配線における電流が規定値以下になった場合に、前記切替部を前記入力許容状態から前記入力禁止状態に切り替えることを特徴とする、電子機器システム。
【請求項１１】
請求項９に記載の電子機器システムであって、
前記第１の配線は、電源電位が印加される電源電位線であり、
前記第２の配線は、基準電位が印加される基準電位線であり、
前記機器側切替制御部は、前記切替部が前記入力許容状態にあるときに前記電源電位線を介して前記電源装置に制御信号を送信可能であり、
前記電源側切替制御部は、前記制御信号を受信する受信部を有し、前記制御信号を受信した場合に、前記切替部を前記入力許容状態から前記入力禁止状態に切り替えることを特徴とする、電子機器システム。
【発明の詳細な説明】
【技術分野】
【０００１】
本発明は、電源装置および電子機器システムに関するものである。
【背景技術】
【０００２】
電子機器、例えば、パーソナルコンピュータ、および、その周辺機器（プリンタ、モデム、ルータ等）、あるいは、テレビ、ＤＶＤレコーダ等の電化製品は、一般的に、特定の仕様の直流電源（例えば、５ボルト、１アンペアの直流電源など）から電力の供給を受けて動作する。このため、商用の交流電源（例えば、１００Ｖ）を電子機器の動作の電源として使用するためには、当該電子機器に外付けされた、あるいは、内蔵された電源装置が商用の交流電源を特定の仕様の直流電源に変換している（例えば、特許文献１）。
【０００３】
この技術では、電子機器と接続される２本の電源線（電源電位線とグランド線）を介して電子機器に電力を供給するための直流電源を提供する電源装置において、電子機器が動作状態から待機状態に移行するとき、および、待機状態から動作状態に復帰するときに電源電位線を介して電子機器が電源装置に対して制御信号を送信している。当該制御信号を受信した電源装置は、当該制御信号により電子機器が待機状態であるか否かを認識可能であり、電子機器が待機状態にあるときに商用の交流電源との接続を遮断することにより、電子機器が待機状態にあるときに電源装置における消費電力を極めて低く抑制している。
【先行技術文献】
【特許文献】
【０００４】
【特許文献１】特開２００４−１０４８５０号公報
【特許文献２】特開２０００−３０８２５７号公報
【特許文献３】特開平１１−３４１８０４号公報
【発明の概要】
【発明が解決しようとする課題】
【０００５】
しかしながら、上記従来技術では、電子機器、および、電源装置の構成が複雑化するおそれがあった。例えば、電子機器は、待機状態から動作状態に移行する際の制御信号と、動作状態から待機状態に移行する際の制御信号をそれぞれ生成するための構成が必要であった。また、電源装置は、これらの２種類の制御信号をそれぞれ解析するための構成が必要であった。
【０００６】
本発明の主な利点は、電子機器の状態に応じて電源装置の消費電力を簡易な構成で抑制することができる技術を提供することである。
【課題を解決するための手段】
【０００７】
本発明は、上述の課題の少なくとも一部を解決するためになされたものであり、以下の形態又は適用例として実現することが可能である。
【０００８】
［適用例１］電子機器に直流電力を供給するための電源装置であって、
交流電源から入力される交流電力を直流電力に変換して出力する電力変換部と、
前記電子機器に接続されて前記電力変換部が出力する直流電力を前記電子機器に出力するための直流電力出力線と、
前記直流電力出力線における電流または電圧の変化を検出することによって、前記直流電力出力線から前記電子機器へ出力された直流電力の前記電子機器における消費を監視する消費監視部と、
前記交流電源から前記電力変換部への交流電力の入力を許容する入力許容状態と、前記交流電源から前記電力変換部への交流電力の入力を禁止する入力禁止状態とに切り替え可能な切替部であり、前記消費監視部によって監視される前記電子機器における消費に応じて前記入力許容状態と前記入力禁止状態とを切り替える切替部と、
前記切替部が前記入力禁止状態から前記入力許容状態への切り替えを行うための電力を前記交流電源とは異なる電源から供給する切替電力供給部と、
を備える、電源装置。
【０００９】
上記構成によれば、電源装置が直流電力出力線における電流または電圧の変化を監視して、当該監視結果に応じて、交流電源から電力変換部への交流電力の入力を許容する入力許容状態と、交流電源から電力変換部への交流電力の入力を禁止する入力禁止状態とを切り替える。入力禁止状態では、交流電源による電力変換部における消費電力をゼロに抑制することができる。そして、交流電源とは異なる電源から供給される電力を用いて入力禁止状態から入力許容状態への切り替えが可能である。したがって、例えば、電子機器側からの制御信号を解析する回路などを設けることなく、簡易な構成で、電子機器における電力の消費に応じて電源装置における消費電力を低減することができる。なお、直流電力出力線は、例えば、基準電位線と電源電位線を含み、直流電力出力線における電圧は、基準電位線と電源電位線との電位差を意味する。
【００１０】
［適用例２］適用例１に記載の電源装置であって、
前記入力許容状態において、前記電力変換部は前記直流電力出力線に第１の電圧を出力し、
前記入力禁止状態において、前記消費監視部は、前記交流電源とは異なる電源を用いて前記直流電力出力線に前記第１の電圧を出力することを特徴とする、電源装置。
【００１１】
上記構成によれば、出力電圧が入力許容状態においても入力禁止状態においても同じ値であるので、電子機器側に特別な回路を設ける必要がなく、電源装置の汎用性を向上することができる。
【００１２】
［適用例３］適用例１に記載の電源装置であって、
前記入力許容状態において、前記電力変換部は前記直流電力出力線に第１の電圧を出力し、
前記入力禁止状態において、前記消費監視部は、前記交流電源とは異なる電源を用いて前記直流電力出力線に前記第１の値より低い第２の電圧を出力することを特徴とする、電源装置。
【００１３】
上記構成によれば、入力禁止状態において、交流電源による電力変換部における消費電力をゼロに抑制することができることに加えて、電子機器における電力の消費の監視のための電力も抑制することができるので、電源装置全体の消費電力をより効果的に抑制することができる。
【００１４】
［適用例４］適用例１ないし適用例３のいずれかに記載の電源装置であって、
前記入力許容状態にある場合において前記直流電力出力線における電流が規定値以下になったことを前記消費監視部が検出した場合に、前記切替部は前記入力許容状態から前記入力禁止状態に切り替えることを特徴とする、電源装置。
【００１５】
上記構成によれば、簡易な構成で入力許容状態から入力禁止状態への切替を実現することができる。
【００１６】
［適用例５］適用例２または適用例３に記載の電源装置であって、
前記入力禁止状態にある場合において前記直流電力出力線における電圧が規定値以下になったことを前記消費監視部が検出した場合に、前記切替部は前記入力禁止状態から前記入力許容状態に切り替えることを特徴とする、電源装置。
【００１７】
上記構成によれば、簡易な構成で入力禁止状態から入力許容状態への切替が実現できることに加えて、入力禁止状態において直流電力出力線に電圧を出力される電圧がなんらかの原因で低下した場合（例えば、当該電源が電池である場合における電池切れなど）に、切替部が入力許容状態へと切り替えるので電源装置が機能しなくなる不都合を回避することができる。
【００１８】
［適用例６］電子機器システムであって、
電子機器と、
電源装置と、
前記電子機器に直流電力を供給するために前記電気機器に接続される第１と第２の配線と、
を備え、
前記電源装置は、
交流電源から入力される交流電力を直流電力に変換して前記第１の配線と前記第２の配線との間に第１の電圧を生成する電力変換部と、
前記交流電源から前記電力変換部への交流電力の入力を許容する入力許容状態と、前記交流電源から前記電力変換部への交流電力の入力を禁止する入力禁止状態とに切り替え可能な切替部と、
を有し、
前記電子機器は、
前記切替部を制御する切替制御部と、
前記交流電源とは異なる電源から前記切替制御部に電力を供給する電力供給部と、
を有し、
前記切替部は、少なくとも前記第１の配線と前記第２の配線との間に前記第１の電圧が生じているときには前記入力許容状態となり、前記第１の電圧とは異なる第２の電圧が前記第１の配線と前記第２の配線との間に生じた場合に前記入力許容状態から前記入力禁止状態に切り替わるように構成され、
前記切替制御部は、前記電力供給部から供給された電力を用いて前記第１の配線と前記第２の配線との間に前記第２の電圧を生成することによって前記切替部を制御することを特徴とする、電子機器システム。
【００１９】
上記構成によれば、切替制御部は第１の電力供給部から供給された電力を用いて第１の配線と第２の配線との間に第２の電圧を生成することによって切替部を制御する、すなわち、入力許容状態と入力禁止状態と間の切り替えを行う。この結果、電子機器が待機状態にあるときに、交流電源による電力変換部における消費電力をゼロに抑制することを簡易な構成で実現することができる。
【００２０】
［適用例７］適用例６に記載の電子機器システムであって、
前記第２の電圧は、前記第１の電圧より大きな電圧であり、
前記切替部は、前記第１の配線と前記第２の配線との間に前記第２の電圧が生じているときに前記入力禁止状態となり、前記第１の配線と前記第２の配線との間に生じている電圧が前記第２の電圧より小さい場合に前記入力許容状態となるように構成されており、
前記切替制御部は、前記電力供給部から供給された電力を用いて前記第１の配線と前記第２の配線との間に前記第２の電圧を生成することにより前記切替部を前記入力禁止状態に制御し、前記第２の電圧の生成をしないことにより前記切替部を前記入力許容状態に制御することを特徴とする、電子機器システム。
【００２１】
上記構成によれば、電力供給部から供給された電力を用いて第１の配線と第２の配線との間に第２の電圧を生成するという簡易な制御だけで、交流電源による電力変換部における消費電力をゼロに抑制することができる。また、第１の配線と第２の配線との間に第２の電圧を生成しないという簡易な制御だけで、電力変換部を動作させて電子機器に直流電力を供給することができる。
【００２２】
［適用例８］適用例６に記載の電子機器システムであって、
前記第２の電圧は、前記第１の電圧とは正負が逆の電圧であり、
前記切替部は、
前記入力禁止状態にあるときに、前記第１の電圧が前記第１の配線と前記第２の配線との間に生じたことを契機に前記入力許容状態に切り替えられ、
前記入力許容状態にあるときに、前記第２の電圧が前記第１の配線と前記第２の配線との間に生じたことを契機に前記入力禁止状態に切り替えられるように構成されており、
前記切替制御部は、前記電力供給部から供給された電力を用いて前記第１の配線と前記第２の配線との間に前記第２の電圧を一時的に生成することにより前記切替部を前記入力許容状態から前記入力禁止状態に制御し、前記電力供給部から供給された電力を用いて前記第１の配線と前記第２の配線との間に前記第１の電圧を一時的に生成することにより前記切替部を入力禁止状態から前記入力許容状態に制御することを特徴とする、電子機器システム。
【００２３】
上記構成によれば、電力供給部から供給された電力を用いて一時的に第１の電圧または第２の電圧を生成するだけで、交流電源による電力変換部における消費電力をゼロに抑制することができ、また、電力変換部を動作させて電子機器に直流電力を供給することができる。
【００２４】
［適用例９］電子機器システムであって、
電子機器と、
電源装置と、
前記電子機器に直流電力を供給するために前記電気機器に接続される第１と第２の配線と、
を備え、
前記電源装置は、
交流電源から入力される交流電力を直流電力に変換して前記第１の配線と前記第２の配線との間に第１の電圧を生成する電力変換部と、
前記交流電源から前記電力変換部への交流電力の入力を許容する入力許容状態と、前記交流電源から前記電力変換部への交流電力の入力を禁止する入力禁止状態とに切り替え可能な切替部と、
前記切替部を制御するための電源側切替制御部と、
を有し、
前記電子機器は、
前記交流電源とは異なる電源から電力を供給する電力供給部と、
前記切替部が前記入力禁止状態にあるときに、前記電力供給部から供給される電力を用いて前記第１の配線と前記第２の配線との間に第２の電圧を生成する機器側切替制御部と、
を備え、
前記電源側切替制御部は、前記切替部が前記入力禁止状態にあるときに、前記第１の配線と前記第２の配線との間に第２の電圧が生成されたときに前記切替部を前記入力禁止状態から前記入力許容状態に切り替えることを特徴とする、電子機器システム。
【００２５】
上記構成によれば、電子機器は、切替部が入力禁止状態にあるときに交流電源とは異なる電源を用いて第１の配線と第２の配線との間に第２の電圧を生成するだけで、切替部を入力禁止状態から入力許容状態に切り替えることができる。この結果、簡単な構成で、電源装置において切替部を入力禁止状態にして交流電源による電力変換部の消費電力をゼロにした状態から、電源装置から直流電力の供給を受ける状態に移行することができる。
【００２６】
［適用例１０］
適用例９に記載の電子機器システムであって、
前記電源側切替制御部は、前記切替部が前記入力許容状態にあるときに前記第１の配線または前記第２の配線における電流が規定値以下になった場合に、前記切替部を前記入力許容状態から前記入力禁止状態に切り替えることを特徴とする、電子機器システム。
【００２７】
上記構成によれば、電子機器に供給される電流が規定値以下になったときに、電源装置によって切替部を入力禁止状態として交流電源による電力変換部における消費電力をゼロに抑制することができる。そして、電源装置からの電力の供給が必要な場合は、上述のとおり電子機器は、切替部が入力禁止状態にあるときに交流電源とは異なる電源を用いて第１の配線と第２の配線との間に第２の電圧を生成するだけで電源装置から直流電力の供給を受ける状態に移行することができる。この結果、電源装置側に電子機器側からの制御信号を解析する回路などを設けたり、電子機器側で制御信号を生成する回路を設けることなく、電子機器における電力の消費に応じて電源装置における消費電力を低減することができる。
【００２８】
［適用例１１］
適用例９に記載の電子機器システムであって、
前記第１の配線は、電源電位が印加される電源電位線であり、
前記第２の配線は、基準電位が印加される基準電位線であり、
前記機器側切替制御部は、前記切替部が前記入力許容状態にあるときに前記電源電位線を介して前記電源装置に制御信号を送信可能であり、
前記電源側切替制御部は、前記制御信号を受信する受信部を有し、前記制御信号を受信した場合に、前記切替部を前記入力許容状態から前記入力禁止状態に切り替えることを特徴とする、電子機器システム。
【００２９】
上記構成によれば、電子機器が主体的に前記切替部を切替制御することができる。
【００３０】
なお、本発明は、種々の形態で実現することが可能であり、例えば、電子機器、電源装置、電子機器などの物の発明に加えて、電子機器、電源装置、電子機器の制御方法等の形態で実現することができる。
【図面の簡単な説明】
【００３１】
【図１】第１実施例としての電子機器システムの概略構成を示す説明図である。
【図２】電子機器システム１０００の電気的構成を示す図である。
【図３】ＡＣアダプタ１００の状態の遷移について説明する図である。
【図４】第２実施例における電子機器システム１０００ａの電気的構成について説明する図である。
【図５】ＡＣアダプタ１００ａの状態の遷移について説明する図である。
【図６】第３実施例における電子機器システム１０００ｂの電気的構成について説明する図である。
【図７】第４実施例における電子機器システム１０００ｃの電気的構成について説明する図である。
【図８】第５実施例における電子機器システム１０００ｄの電気的構成について説明する図である。
【図９】入力禁止信号を説明する図である。
【図１０】第６実施例における電子機器システム１０００ｅの電気的構成について説明する図である。
【図１１】ＡＣアダプタ１００ｅの状態の遷移について説明する図である。
【図１２】第７実施例における電子機器システム１０００ｆの電気的構成について説明する図である。
【図１３】ＡＣアダプタ１００ｆの状態の遷移について説明する図である。
【発明を実施するための形態】
【００３２】
次に、この発明の実施の形態を実施例に基づいて図面を参照しながら説明する。
【００３３】
（１）第１実施例：
図１は、本発明の第１実施例としての電子機器システムの概略構成を示す説明図である。電子機器システム１０００は、電源装置としてのＡＣアダプタ１００と、電子機器としてのハードディスクドライブ２００とを含んでいる。ＡＣアダプタ１００はコード１０を備えており、ハードディスクドライブ２００とコード１０を介して接続される。コード１０には後述する電源電位線１１と基準電位線１２とが内装されている。ＡＣアダプタ１００は、一般的な商用の交流電源（例えば、ＡＣ１００Ｖ（ボルト））に接続されて使用される。ハードディスクドライブ２００は、電源ボタン２０１が備えられており、利用者が押下することで、ハードディスクドライブ２００を機能停止状態と動作状態とに切り替えられる。
【００３４】
ハードディスクドライブ２００は、パーソナルコンピュータ３００と、外部接続用バス２０、例えば、ＵＳＢ（Universal Serial Bus）を介して接続されて、パーソナルコンピュータ３００の外部記憶装置として用いられる。
【００３５】
図２は、電子機器システム１０００の電気的構成を示す図である。図２では、パーソナルコンピュータ３００および外部接続用バス２０についての図示は、説明の簡略化のために省略する。以下、図４、図６〜図８、図１０においても同様とする。
【００３６】
ＡＣアダプタ１００は、交流電源から入力される交流電力を直流電力に変換して出力する。具体的には、ＡＣアダプタ１００は、２本の直流電力出力線、すなわち、電源電位線１１と基準電位線１２との間に定電圧（本実施例では、電源電位線１１の電位が、基準電位線１２の電位に対してプラス５Ｖとなる定電圧）を生成して、ハードディスクドライブ２００に定電圧型の直流電源を提供する。以下、電圧を数値で表す場合において、特に基準について記載しないときは、基準電位線１２の電位を基準（０Ｖ）とした電圧を表す。
【００３７】
ＡＣアダプタ１００は、切替スイッチ１１０と、切替制御部１２０と、内部電源１３０と、電力変換部１４０と、を備えている。切替スイッチ１１０は、本実施例では、ラッチング方式のメカニカルリレーが用いられている。本リレーは、第１の入力線１３に第２の入力線１４を基準としてプラス５Ｖの電圧が印加されるとオンとなり、その後、電圧の印加を停止してもオンの状態が維持される。さらに、本リレーは、第２の入力線１４に第１の入力線１３を基準としてプラス５Ｖの電圧が印加されるとオフとなり、その後、電圧の印加を停止してもオフの状態が維持される。
【００３８】
切替スイッチ１１０がオフであるとき、ＡＣアダプタ１００は、交流電源から電力変換部１４０への交流電力の入力が遮断（禁止）された状態（入力禁止状態）となる。切替スイッチ１１０がオンであるとき、ＡＣアダプタ１００は、交流電源から電力変換部１４０への交流電力の入力が許容された状態（入力許容状態）となる。
【００３９】
切替制御部１２０は、入力遮断制御回路１２１と、消費監視回路１２２とを備えている。入力遮断制御回路１２１は、消費監視回路１２２からの指示（制御信号）に応じて、切替スイッチ１１０のオン／オフを制御する。具体的には、切替スイッチ１１０の第１の入力線１３と第２の入力線１４に上述した電圧を印加することにより、切替スイッチ１１０のオン／オフを制御する。消費監視回路１２２は、電源電位線１１の電流の変化を検出することにより、ハードディスクドライブ２００による電力の消費を監視して、入力遮断制御回路１２１に切替スイッチ１１０をオン／オフ制御するタイミングを指示する。切替制御部１２０の具体的な制御内容については後述する。
【００４０】
内部電源１３０として、例えば、本実施例では、２次電池が用いられている。
【００４１】
電力変換部１４０は、いわゆるスイッチング素子（バイポーラトランジスタなど）のオンとオフを繰り返すことにより所望の大きさの定電圧を生成する周知のスイッチング式電力変換回路である。
【００４２】
電力変換部１４０は、入力整流回路１４１と、入力平滑回路１４２と、スイッチング回路１４３と、トランス１４４と、出力整流回路１４５と、出力平滑回路１４６と、フィードバック検出回路１４７と、スイッチング制御回路１４８とを備えている。
【００４３】
ＡＣアダプタ１００が入力許容状態にあるとき、交流電源から入力された交流電力は、入力整流回路１４１および入力平滑回路１４２によって直流化され、さらに、スイッチング回路１４３によってスイッチングされてパルス波に変換される。スイッチングされた電力（パルス波）は、トランス１４４を介して調圧され、出力整流回路１４５、出力平滑回路１４６によって直流化される。フィードバック検出回路１４７とスイッチング制御回路１４８は出力平滑回路１４６から出力される電力の電圧を所望の一定値（本実施例では、５Ｖ）に保つように、スイッチング回路１４３のオンとオフを制御する。
【００４４】
この結果、ＡＣアダプタ１００が入力許容状態にあるとき、電力変換部１４０によって電源電位線１１に定電圧（本実施例では、基準電位線１２を基準（０Ｖ）としてプラス５Ｖ）が生成され、ＡＣアダプタ１００はハードディスクドライブ２００に直流電源を提供する。
【００４５】
一方で、ＡＣアダプタ１００が入力禁止状態にあるとき、電力変換部１４０には、交流電源から交流電力が入力されないので、電力変換部１４０は動作を停止する。
【００４６】
ハードディスクドライブ２００は、ハードディスクドライブとしての機能を実現するための電子機器回路２１０と、メインスイッチ２０２とを備えている。電子機器回路２１０は、ハードディスクドライブとしての機能を実現するための全ての負荷（制御回路、ディスクを駆動するモータなど電力を消費する全ての部分）を含む。メインスイッチ２０２は、電源ボタン２０１（図１）を押下することにより、オン／オフが切り替えられるメカニカルスイッチである。
【００４７】
メインスイッチ２０２がオフの状態では、電子機器回路２１０と電源電位線１１との電気的な接続が切断され、電子機器回路２１０での消費電力はゼロとなる。メインスイッチ２０２がオンの状態では、電子機器回路２１０と電源電位線１１とが電気的に接続され、電子機器回路２１０は、ハードディスクドライブとしての機能を実現する。メインスイッチ２０２がオンの状態では、電子機器回路２１０の消費電力は、ハードディスクドライブとしての動作状態によって変化するがゼロになることはない。
【００４８】
次に、上記図１、図２に加えて図３を参照して、切替制御部１２０によるＡＣアダプタ１００の状態制御について説明する。図３は、ＡＣアダプタ１００の状態の遷移について説明する図である。ハードディスクドライブ２００のメインスイッチ２０２がオンであるとき、ＡＣアダプタ１００の切替スイッチ１１０もオン状態となっており、ＡＣアダプタ１００は、入力許容状態となっている。したがって、電力変換部１４０から電源電位線１１と基準電位線１２とに直流電源としての定電圧が出力され、電子機器回路２１０は、当該直流電源から電力の供給を受けて動作する。
【００４９】
入力許容状態において、ＡＣアダプタ１００の消費監視回路１２２は、電源電位線１１における電流値Ｉｎが規定値以下であるか否かを常に監視している。規定値は、メインスイッチ２０２がオンの状態のハードディスクドライブ２００の電子機器回路２１０の最低消費電力に対応する電流値より小さく、ゼロより大きい値とされている。なお、入力許容状態では、消費監視回路１２２は、内部電源１３０ではなく、電力変換部１４０から出力される電力を用いて動作する。また、入力許容状態では、二次電池である内部電源１３０の充電も電力変換部１４０から出力される電力によって行われる。
【００５０】
この状態で、ユーザーがハードディスクドライブ２００の電源ボタン２０１を押下して、メインスイッチ２０２をオフ状態にすると、ハードディスクドライブ２００の電子機器回路２１０の消費電力は、ゼロになる。そうすると、電源電位線１１における電流値Ｉｎは、ゼロとなるため、ＡＣアダプタ１００の消費監視回路１２２は、電源電位線１１における電流値Ｉｎが規定値以下になったことを検出する。
【００５１】
電流値Ｉｎが規定値以下になったことを検出すると、消費監視回路１２２は、入力遮断制御回路１２１に対して切替スイッチ１１０をオフ状態にすることを指示する制御信号を送信する。当該制御信号を受信した入力遮断制御回路１２１は、切替スイッチ１１０をオン状態からオフ状態に切り替える。この結果、ＡＣアダプタ１００は、入力禁止状態となる。
【００５２】
入力禁止状態になると、電力変換部１４０から電源電位線１１への定電圧の出力がなくなる。ここで、入力禁止状態では、消費監視回路１２２は、内部電源１３０を用いて電源電位線１１に、定電圧を印加する。ここで、印加される電圧は、例えば、入力許容状態において電力変換部１４０から出力される定電圧と同じ電圧とされる。
【００５３】
入力禁止状態において、消費監視回路１２２は、内部電源１３０により定電圧が印加された電源電位線１１における電流値Ｉｎが上述した規定値以上であるか否かを監視する。入力禁止状態においては、消費監視回路１２２は内部電源により動作する。
【００５４】
この状態で、ユーザがハードディスクドライブ２００の電源ボタン２０１を押下して、メインスイッチ２０２をオン状態にすると、ハードディスクドライブ２００の消費電力がゼロから少なくとも上述した最低消費電力を上回る状態になる。その結果、電源電位線１１における電流値Ｉｎが上述した規定値以上になる。そうすると、ＡＣアダプタ１００の消費監視回路１２２は、電源電位線１１における電流値Ｉｎが規定値以上になったことを検出する。
【００５５】
電流値Ｉｎが規定値以上になったことを検出すると、消費監視回路１２２は、入力遮断制御回路１２１に対して切替スイッチ１１０をオン状態にすることを指示する制御信号を送信する。当該制御信号を受信した入力遮断制御回路１２１は、切替スイッチ１１０をオフ状態からオン状態に切り替える。この結果、ＡＣアダプタ１００は、入力許容状態となる。
【００５６】
以上説明した第１実施例によれば、ハードディスクドライブ２００のメインスイッチ２０２がオフになり、ＡＣアダプタ１００から電力をハードディスクドライブ２００に供給する必要がなくなったとき、ＡＣアダプタ１００側において電源電位線１１における電流値Ｉｎが規定値以下になったことが検出され、ＡＣアダプタ１００の状態は切替スイッチ１１０がオフにされた入力禁止状態となる。この結果、ハードディスクドライブ２００のメインスイッチ２０２がオフになったとき、ＡＣアダプタ１００の交流電源による電力変換部１４０の消費電力もゼロに抑制することができる。
【００５７】
さらに、ＡＣアダプタ１００が入力禁止状態にあるとき、消費監視回路１２２は、内部電源１３０により電源電位線１１と基準電位線１２との間に入力許容状態にあるときと同じ電圧を印加して、電源電位線１１における電流値Ｉｎを監視している。そして、電流値Ｉｎが規定値以上になったときに、ＡＣアダプタ１００の状態は、切替スイッチ１１０がオンにされた入力許容状態にされる。この結果、ハードディスクドライブ２００のメインスイッチ２０２がオフからオンになったときに、ＡＣアダプタ１００も電力を供給可能な入力許容状態に復帰することができる。
【００５８】
したがって、ＡＣアダプタ１００側の構成だけで、ハードディスクドライブ２００の状態に応じて、入力許容状態から入力禁止状態への移行、および、入力禁止状態から入力許容状態への移行を実現することができる。
【００５９】
また、内部電源１３０により電源電位線１１に入力許容状態にあるときと同じ電圧を印加するので、ハードディスクドライブ２００側に特別な構成（例えば、ＡＣアダプタ１００に制御信号を送信する回路など）を設ける必要がなく、ＡＣアダプタ１００の汎用性を向上することができる。
【００６０】
また、入力禁止状態では、内部電源１３０は、電源電位線１１に電圧を印加するために使われるものの、入力禁止状態から入力許容状態へ切り替わる瞬間を除いて電流を流すためには用いられないので、内部電源１３０からの電力消費はほとんどない。したがって、入力禁止状態では、交流電源による電力変換部１４０がゼロになり、ＡＣアダプタ１００全体としても消費電力を抑制することができる。
【００６１】
さらに、内部電源１３０に２次電池を用いており入力許容状態において内部電源１３０に充電する構成を採用しているので、長期間に亘って、ＡＣアダプタ１００における切替スイッチ１１０の切替機能を有効とすることができる。
【００６２】
（２）第２実施例：
第２実施例における電子機器システム１０００ａの概略構成は、図１を参照して説明した第１実施例における電子機器システム１０００の概略構成と同一であるので説明を省略する。以下、第３実施例〜第７実施例についても同様とする。
【００６３】
図４は、第２実施例における電子機器システム１０００ａの電気的構成について説明する図である。電子機器システム１０００ａは、ＡＣアダプタ１００ａと、ハードディスクドライブ２００ａとから構成されている。
【００６４】
第２実施例におけるＡＣアダプタ１００ａは、電力変換部１４０と、切替スイッチ１１０ａとを備えている。電力変換部１４０の構成は、第１実施例における同名の構成（電力変換部１４０）と同様であるので、図４において同一の符号を付し、その説明を省略する。以下、図６〜図８、図１０、図１２においても同様とする。
【００６５】
切替スイッチ１１０ａは、第１実施例の切替スイッチ１１０と同様に、交流電源から電力変換部１４０への交流電力の入力が許容される入力許容状態と、当該入力が禁止される入力禁止状態とを切り替えるためのスイッチである。本実施例では、切替スイッチ１１０ａとして、半導体リレーが用いられている。この半導体リレーは、本実施例では、第１の入力線１３ａを基準（０Ｖ）として第２の入力線１４ａに約１Ｖの電圧が印加されている間にオフとなり、当該電圧が印加されていない間にオンとなるノーマリーオン（ｂ接点）タイプのリレーである。第１実施例と同様に、切替スイッチ１１０ａがオンであるとき、ＡＣアダプタ１００ａは、入力許容状態となり、切替スイッチ１１０ａがオフであるとき、ＡＣアダプタ１００ａは、入力禁止状態となる。
【００６６】
ＡＣアダプタ１００ａが入力許容状態にあるとき、電力変換部１４０は、第１実施例と同様に、電源電位線１１ａに定電圧（本実施例では、５Ｖ）を生成して、ハードディスクドライブ２００ａに直流電源を提供する。
【００６７】
第１の入力線１３ａは、基準電位線１２ａに電気的に接続されている。第２の入力線１４ａは、保護抵抗Ｒ１とツェナーダイオードＺＲ１を介して、電源電位線１１ａに電気的に接続されている。ツェナーダイオードＺＲ１の降伏電圧は、本実施例では、５Ｖである。保護抵抗Ｒ１は、通常の動作では、ほとんど電圧降下を無視できる程度の小ささ抵抗であり、不具合等により想定外の電流が流れることを抑制し回路を保護するための抵抗である。
【００６８】
ハードディスクドライブ２００ａは、電子機器回路２１０と、メインスイッチ２０２と、制御電圧印加回路２０３ａと、内部電源１３０ａとを備えている。
【００６９】
電子機器回路２１０、メインスイッチ２０２の構成は、第１実施例における同名の構成（図２：電子機器回路２１０、メインスイッチ２０２）と同一であるので、図４において同一の符号を付し、その説明を省略する。以下、図６〜図８、図１０においても同様とする。
【００７０】
制御電圧印加回路２０３ａは、ＡＣアダプタ１００ａの状態を、入力禁止状態と入力許容信号とのいずれかに制御するための回路である。内部電源１３０ａは、入力禁止状態において、制御電圧印加回路２０３ａに電力を供給する電源である。入力許容状態では、制御電圧印加回路２０３ａは、ＡＣアダプタ１００ａから供給される電力で動作する。本実施例では、内部電源１３０ａとして、２次電池が用いられ、入力許容状態では、ＡＣアダプタ１００ａから供給される電力を用いて充電が行われるように構成されている。
【００７１】
次に、図４に加えて、図５を参照して、制御電圧印加回路２０３ａによるＡＣアダプタ１００ａの状態制御について説明する。図５は、ＡＣアダプタ１００ａの状態の遷移について説明する図である。制御電圧印加回路２０３ａは、メインスイッチ２０２がオンであるかオフであるかを常に監視している。メインスイッチ２０２がオンである場合、制御電圧印加回路２０３ａは、電源電位線１１ａと基準電位線１２ｂとの間に電圧を印加しない。その結果、切替スイッチ１１０ａの第１の入力線１３ａと第２の入力線１４ａとの間に電圧が印加されないので、切替スイッチ１１０ａはオンとなり、ＡＣアダプタ１００ａは入力許容状態となる。
【００７２】
したがって、電力変換部１４０には交流電力が入力され、電源電位線１１ａと基準電位線１２ａとの間に５Ｖの電圧が生成される。このとき、電源電位線１１ａの電位は、５Ｖとなるが、ツェナーダイオードＺＲ１により、第２の入力線１４ａの電位は、ほぼ０Ｖとなる。したがって、第１の入力線１３ａと第２の入力線１４ａとの間に電圧は発生せず、切替スイッチ１１０ａはオンの状態で維持される。
【００７３】
一方、メインスイッチ２０２がオフである場合、制御電圧印加回路２０３ａは、内部電源１３０ａを用いて、電源電位線１１ａに６Ｖの電圧を印加する。この結果、ツェナーダイオードＺＲ１を介して第２の入力線１４ａの電圧は約１Ｖとなる。したがって、第２の入力線１４ａに第１の入力線１３ａを基準（０Ｖ）として約１Ｖの電圧が印加され、切替スイッチ１１０ａはオフとなる。この結果、切替スイッチ１１０ａは入力禁止状態となり、交流電源による電力変換部１４０での消費電力はゼロとなる。
【００７４】
以上説明した第２実施例によれば、第１実施例と同様に、ハードディスクドライブ２００ａのメインスイッチ２０２がオフになり、ＡＣアダプタ１００ａから電力をハードディスクドライブ２００ａに供給する必要がなくなったとき、ＡＣアダプタ１００ａの状態は切替スイッチ１１０ａがオフにされた入力禁止状態となる。この結果、ハードディスクドライブ２００ａのメインスイッチ２０２がオフになったとき、ＡＣアダプタ１００の交流電源による電力変換部１４０の消費電力もゼロに抑制することができる。
【００７５】
また、ＡＣアダプタ１００ａが入力禁止状態にあるとき、内部電源１３０ａを用いて動作する制御電圧印加回路２０３ａによりメインスイッチ２０２を監視している。そして、メインスイッチ２０２がオンになった場合に、切替スイッチ１１０ａがオンにされ、ＡＣアダプタ１００ａは入力禁止状態から入力許容状態に切り替えられる。
【００７６】
さらには、ハードディスクドライブ２００ａ側で、電源電位線１１ａに、内部電源１３０ａを用いて定電圧（６Ｖ）を印加する、または、印加しないという簡易な制御を行うだけで、ハードディスクドライブ２００ａの状態に応じて、入力許容状態から入力禁止状態への移行、および、入力禁止状態から入力許容状態への移行を実現することができる。
【００７７】
さらに、内部電源１３０ａに２次電池を用いており入力許容状態において内部電源１３０ａに充電する構成を採用しているので、長期間に亘って、ＡＣアダプタ１００ａにおける切替スイッチ１１０ａの切替機能を有効とすることができる。
【００７８】
（３）第３実施例：
図６は、第３実施例における電子機器システム１０００ｂの電気的構成について説明する図である。電子機器システム１０００ｂは、ＡＣアダプタ１００ｂと、ハードディスクドライブ２００ｂとから構成されている。
【００７９】
第３実施例におけるＡＣアダプタ１００ｂは、電力変換部１４０と、切替スイッチ１１０ｂとを備えている。
【００８０】
切替スイッチ１１０ｂは、第１および第２実施例の切替スイッチ１１０、１１０ａと同様に、交流電源から電力変換部１４０への交流電力の入力が許容される入力許容状態と、当該入力が禁止される入力禁止状態とを切り替えるためのスイッチである。本実施例では、切替スイッチ１１０ｂとして、メカニカルリレーのノーマリーオン（ｂ接点）の端子が用いられている。本リレーは、定格１２Ｖで動作するリレーであり、オンのときに第１の入力線１３ｂを基準（０Ｖ）として第２の入力線１４ｂに約１０Ｖ以上の電圧が印加されるとオフに切り替わり、オフのときに第１の入力線１３ｂを基準（０Ｖ）として第２の入力線１４ｂの電力が約１０ボルト以下に低下するとオンに切り替わる仕様となっている。
【００８１】
第１および第２実施例と同様に、切替スイッチ１１０ｂがオンであるとき、ＡＣアダプタ１００ｂは入力許容状態となり、切替スイッチ１１０ｂがオフであるとき、ＡＣアダプタ１００ｂは入力禁止状態となる。ＡＣアダプタ１００ｂが入力許容状態にあるとき、電力変換部１４０は、第１および第３実施例と同様に、電源電位線１１ｂに、定電圧を生成して、ハードディスクドライブ２００ｂに直流電源を提供する。
【００８２】
第１の入力線１３ｂは、基準電位線１２ｂに電気的に接続されている。第２の入力線１４ｂは、電源電位線１１ｂに電気的に接続されている。
【００８３】
ハードディスクドライブ２００ｂは、電子機器回路２１０と、メインスイッチ２０２と、制御電圧印加回路２０３ｂと、内部電源１３０ｂと、３端子レギュレータＲＧを備えている。
【００８４】
制御電圧印加回路２０３ｂは、第２実施例と同様に、ＡＣアダプタ１００ｂの状態を、入力禁止状態と入力許容信号とのいずれかに制御するための回路である。内部電源１３０ｂは、入力禁止状態において、制御電圧印加回路２０３ｂに電力を供給する電源である。入力許容状態では、制御電圧印加回路２０３ｂは、ＡＣアダプタ１００ｂから供給される電力で動作する。本実施例では、内部電源１３０ｂとして、２次電池が用いられ、入力許容状態では、ＡＣアダプタ１００ｂから供給される電力を用いて充電が行われるように構成されている。
【００８５】
３端子レギュレータＲＧは、出力固定型（５Ｖ）であり、入力端子は電源電位線１１ｂに接続され、出力端子は電子機器回路２１０に接続され、グランド端子は基準電位線１２ｂに接続される。３端子レギュレータＲＧは、最大入力電圧が１２Ｖ以上であり、動作可能な入出力最小電位差が小さい（本実施例では、０．５Ｖ）低損失３端子レギュレータが用いられることが好ましい。電力変換部１４０は、電子機器回路２１０に５Ｖの定電圧直流電源を提供するため、３端子レギュレータでの電圧降下を考慮して、出力電圧が高く構成される（本実施例では、５．５Ｖを出力）。
【００８６】
次に、制御電圧印加回路２０３ｂによるＡＣアダプタ１００ｂの状態制御について説明する。制御電圧印加回路２０３ｂは、メインスイッチ２０２がオンであるかオフであるかを常に監視している。まず、切替スイッチ１１０ｂが入力許容状態であり、メインスイッチ２０２がオンである場合について説明する。このとき、制御電圧印加回路２０３ｂは、電源電位線１１ｂに電圧を印加しない。その結果、切替スイッチ１１０ｂの第１の入力線１３ｂと第２の入力線１４ｂとの間の電圧は、電力変換部１４０からの基準電位線１２ｂと電源電位線１１ｂとの間に出力される電圧と等しくなる（５．５Ｖ）。このため、切替スイッチ１１０ｂはオンのままに維持される。
【００８７】
したがって、電力変換部１４０には交流電力が入力され、電源電位線１１ａの電圧は、５．５Ｖに維持される。そして、３端子レギュレータＲＧを介して、電子機器回路２１０に５．０Ｖの直流電源が提供される。
【００８８】
この状態からメインスイッチ２０２がオンからオフに切り替わると、制御電圧印加回路２０３ｂは、内部電源１３０ｂからの電力を用いて、電源電位線１１ｂに１２Ｖの電圧を印加する。すると、第２の入力線１４ｂには、第１の入力線１３ｂを基準として、１２Ｖの電圧が印加されることになるので、切替スイッチ１１０ｂは、オンからオフに切り替わる。したがって、ＡＣアダプタ１００ｂは入力禁止状態となり、交流電源による電力変換部１４０での消費電力はゼロとなる。
【００８９】
メインスイッチ２０２がオフである間、制御電圧印加回路２０３ｂは、電源電位線１１ｂの電位を１２Ｖに維持する。したがって、メインスイッチ２０２がオフである間、切替スイッチ１１０ｂは入力禁止状態に維持される。３端子レギュレータＲＧは、電子機器回路２１０に定格である５Ｖを大きく超える１２Ｖの電圧が印加されないようにする保護回路として機能する。なお、このような保護回路として、３端子レギュレータＲＧに限らず、スイッチングレギュレータ等の様々な降圧型のＤＣ−ＤＣコンバータを用いることができる。
【００９０】
この状態からメインスイッチ２０２がオフからオンに切り替わると、制御電圧印加回路２０３ｂは、電源電位線１１ｂの電圧を１２Ｖから０Ｖに落とす。すると、第２の入力線１４ｂと第１の入力線１３ｂとの電位差が０Ｖとなり、切替スイッチ１１０ｂはオフからオンに切り替わる。したがって、ＡＣアダプタ１００ｂは入力許容状態となり、電力変換部１４０から３端子レギュレータＲＧを介して電子機器回路２１０に直流電源が提供される。
【００９１】
以上説明した第３実施例によれば、第１および第２実施例と同様に、ハードディスクドライブ２００ｂのメインスイッチ２０２がオフになり、ＡＣアダプタ１００ｂから電力をハードディスクドライブ２００に供給する必要がなくなったとき、ＡＣアダプタ１００ｂの状態は切替スイッチ１１０ｂがオフにされた入力禁止状態となる。この結果、ハードディスクドライブ２００ｂのメインスイッチ２０２がオフになったとき、ＡＣアダプタ１００ｂの交流電源による電力変換部１４０の消費電力もゼロに抑制することができる。
【００９２】
また、ＡＣアダプタ１００ｂが入力禁止状態にあるとき、内部電源１３０ｂを用いて動作する制御電圧印加回路２０３ｂによりメインスイッチ２０２を監視している。そして、メインスイッチ２０２がオンになった場合に、切替スイッチ１１０ｂがオンにされ、ＡＣアダプタ１００ｂは入力禁止状態から入力許容状態に切り替えられる。
【００９３】
さらには、ハードディスクドライブ２００ｂ側で、電源電位線１１ｂと基準電位線１２ｂとの間に、内部電源１３０を用いて定電圧を印加する、または、印加しないという簡易な制御を行うだけで、ハードディスクドライブ２００ｂの状態に応じて、入力許容状態から入力禁止状態への移行、および、入力禁止状態から入力許容状態への移行を実現することができる。
【００９４】
（４）第４実施例：
図７は、第４実施例における電子機器システム１０００ｃの電気的構成について説明する図である。電子機器システム１０００ｃは、ＡＣアダプタ１００ｃと、ハードディスクドライブ２００ｃとから構成されている。
【００９５】
第４実施例におけるＡＣアダプタ１００ｃは、電力変換部１４０と、切替スイッチ１１０ｃとを備えている。
【００９６】
切替スイッチ１１０ｃは、第１〜第３実施例の切替スイッチ１１０、１１０ａ、１１０ｂと同様に、交流電源から電力変換部１４０への交流電力の入力が許容される入力許容状態と、当該入力が禁止される入力禁止状態とを切り替えるためのスイッチである。本実施例では、切替スイッチ１１０ｃとして、第１実施例と同様のラッチング方式のメカニカルリレーが用いられてる。本リレーは、第２の入力線１４ｃに第１の入力線１３ｃを基準としてプラス５Ｖの電圧が印加されるとオンとなり、その後、電圧の印加を停止してもオンの状態が維持される。さらに、本リレーは、第１の入力線１３ｃに第２の入力線１４ｃを基準としてプラス５Ｖの電圧が印加されるとオフとなり、その後、電圧の印加を停止してもオフの状態が維持される。
【００９７】
第１〜第３実施例と同様に、切替スイッチ１１０ｃがオンであるとき、ＡＣアダプタ１００ｃは入力許容状態となり、切替スイッチ１１０ｃがオフであるとき、ＡＣアダプタ１００ｃは入力禁止状態となる。ＡＣアダプタ１００ｃが入力許容状態にあるとき、電力変換部１４０は、第１〜第３実施例と同様に、電源電位線１１ｃに定電圧を印加して、ハードディスクドライブ２００ｃに直流電源を提供する。
【００９８】
第１の入力線１３ｃは、基準電位線１２ｃに電気的に接続されている。第２の入力線１４ｃは、電源電位線１１ｃに電気的に接続されている。
【００９９】
ハードディスクドライブ２００ｃは、電子機器回路２１０と、メインスイッチ２０２と、制御電圧印加回路２０３ｃと、内部電源１３０ｃと、ダイオードＤ１を備えている。
【０１００】
制御電圧印加回路２０３ｃは、第２および第３実施例と同様に、ＡＣアダプタ１００ｃの状態を、入力禁止状態と入力許容信号とのいずれかに制御するための回路である。内部電源１３０ｃは、入力禁止状態において、制御電圧印加回路２０３ｃに電力を供給する電源である。入力許容状態では、制御電圧印加回路２０３ｃは、ＡＣアダプタ１００ｃから供給される電力で動作する。本実施例では、内部電源１３０ｃとして、２次電池が用いられ、入力許容状態では、ＡＣアダプタ１００ｃから供給される電力を用いて充電が行われるように構成されている。
【０１０１】
ダイオードＤ１は、電源電位線１１ｃと電子機器回路２１０との間に配置され、電子機器回路２１０に逆方向の電流が流れることを抑制する保護回路として機能する。
【０１０２】
次に、制御電圧印加回路２０３ｃによるＡＣアダプタ１００ｃの状態制御について説明する。制御電圧印加回路２０３ｃは、メインスイッチ２０２がオンであるかオフであるかを常に監視している。まず、切替スイッチ１１０ｃが入力許容状態であり、メインスイッチ２０２がオンである場合について説明する。このとき、制御電圧印加回路２０３ｃは、電源電位線１１ｃに電圧を印加しない。その結果、切替スイッチ１１０ｃの第１の入力線１３ｃと第２の入力線１４ｃとの間の電圧は、電力変換部１４０からの基準電位線１２ｃと電源電位線１１ｃとの間に出力される電圧と等しくなる（５Ｖ）。すなわち、第２の入力線１４ｃに第１の入力線１３ｃを基準としてプラス５Ｖの電圧が印加された状態となり、切替スイッチ１１０ｃはオンのままに維持される。
【０１０３】
この状態からメインスイッチ２０２がオンからオフに切り替わると、制御電圧印加回路２０３ｃは、内部電源１３０ｃからの電力を用いて、電源電位線１１ｃにマイナス５Ｖの電圧、すなわち、正負を逆にした電圧を、一時的に、すなわち、ラッチング式のリレーである切替スイッチ１１０ｃの切り替えに必要な時間だけ印加する。すると、第１の入力線１３ｃに第２の入力線１４ｃを基準としてプラス５Ｖの電圧が印加されることになり、切替スイッチ１１０ｃは、オンからオフに切り替わる。したがって、ＡＣアダプタ１００ｃは入力禁止状態となり、電力変換部１４０での消費電力はゼロとなる。ダイオードＤ１は、正負を逆にした電圧が電源電位線１１ｃに印加されたときに、電子機器回路２１０に通常と逆向きの電流が流れることを防ぐ保護回路として機能する。
【０１０４】
なお、正負を逆にした電圧が電源電位線１１ｃに印加されたときに、電力変換部１４０側にも電力変換部１４０を構成する回路を保護する保護回路を適宜、配置しておくことが好ましい。例えば、電力変換部１４０の出力平滑回路１４６には、通常、電解コンデンサが用いられる。このため、当該電解コンデンサに逆電圧が印加されないように、当該電解コンデンサと直列にダイオードを配置しておくことが好ましい。
【０１０５】
メインスイッチ２０２がオフである間、制御電圧印加回路２０３ｃは、電源電位線１１ｃと基準電位線１２ｃとの間に電圧を印加しない。したがって、メインスイッチ２０２がオフである間、切替スイッチ１１０ｃは入力禁止状態に維持される。
【０１０６】
この状態からメインスイッチ２０２がオフからオンに切り替わると、制御電圧印加回路２０３ｃは、電源電位線１１ｃに５Ｖの電圧を印加する。すると、第２の入力線１４ｃに第１の入力線１３ｃを基準としてプラス５Ｖの電圧が印加された状態となり、切替スイッチ１１０ｃはオフからオンに切り替わる。したがって、ＡＣアダプタ１００ｃは入力許容状態となり、電力変換部１４０からダイオードＤ１を介して電子機器回路２１０に直流電源が提供される。
【０１０７】
以上説明した第４実施例によれば、第１〜第３実施例と同様に、ハードディスクドライブ２００ｂのメインスイッチ２０２がオフになり、ＡＣアダプタ１００ｃから電力をハードディスクドライブ２００ｃに供給する必要がなくなったとき、ＡＣアダプタ１００ｃの状態は切替スイッチ１１０ｃがオフにされた入力禁止状態となる。この結果、ハードディスクドライブ２００ｃのメインスイッチ２０２がオフになったとき、ＡＣアダプタ１００ｃの交流電源による電力変換部１４０の消費電力もゼロに抑制することができる。
【０１０８】
また、ＡＣアダプタ１００ｃが入力禁止状態にあるとき、内部電源１３０ｃを用いて動作する制御電圧印加回路２０３ｃによりメインスイッチ２０２を監視している。そして、メインスイッチ２０２がオンになった場合に、切替スイッチ１１０ｃがオンにされ、ＡＣアダプタ１００ｃは入力禁止状態から入力許容状態に切り替えられる。
【０１０９】
さらには、ハードディスクドライブ２００ｃ側で、電源電位線１１ｃと基準電位線１２ｃとの間に、内部電源１３０ｃを用いて定電圧を印加する、または、印加しないという簡易な制御を行うだけで、ハードディスクドライブ２００ｃの状態に応じて、入力許容状態から入力禁止状態への移行、および、入力禁止状態から入力許容状態への移行を実現することができる。さらに、内部電源１３０ｃを用いて定電圧を印加するのは、ラッチング式のリレーである切替スイッチ１１０ｃの切り替えに必要な時間だけで良いので、内部電源１３０ｃの消費電力も抑制することができる。
【０１１０】
（５）第５実施例：
図８は、第５実施例における電子機器システム１０００ｄの電気的構成について説明する図である。電子機器システム１０００ｄは、ＡＣアダプタ１００ｄと、ハードディスクドライブ２００ｄとから構成されている。
【０１１１】
第５実施例におけるＡＣアダプタ１００ｄは、電力変換部１４０と、切替スイッチ１１０ｄと、電源側切替制御回路１５０ｄを備えている。
【０１１２】
切替スイッチ１１０ｄは、第１〜第４実施例の切替スイッチ１１０、１１０ａ〜１１０ｃと同様に、交流電源から電力変換部１４０への交流電力の入力が許容される入力許容状態と、当該入力が禁止される入力禁止状態とを切り替えるためのスイッチである。本実施例では、切替スイッチ１１０ｄとして、第１実施例および第４実施例と同様のラッチング方式のメカニカルリレーが用いられてる。本リレーは、第２の入力線１４ｄに第１の入力線１３ｄを基準としてプラス５Ｖの電圧が印加されるとオンとなり、その後、電圧の印加を停止してもオンの状態が維持される。一方、本リレーは、第１の入力線１３ｄに第２の入力線１４ｄを基準としてプラス５Ｖの電圧が印加されるとオフとなり、その後、電圧の印加を停止してもオフの状態が維持される。
【０１１３】
第１〜第４実施例と同様に、切替スイッチ１１０ｄがオンであるとき、ＡＣアダプタ１００ｄは入力許容状態となり、切替スイッチ１１０ｄがオフであるとき、ＡＣアダプタ１００ｄは入力禁止状態となる。ＡＣアダプタ１００ｄが入力許容状態にあるとき、電力変換部１４０は、第１〜第４実施例と同様に、電源電位線１１ｄに定電圧を生成して、ハードディスクドライブ２００ｄに直流電源を提供する。
【０１１４】
電源側切替制御回路１５０ｄは、後述する機器側切替制御回路２０３ｄからの指示（制御信号）に従って、第１の入力線１３ｄおよび第２の入力線１４ｄに電圧を印加して、切替スイッチ１１０ｄのオン／オフを切り替える。電源側切替制御回路１５０ｄは、機器側切替制御回路２０３ｄからの制御信号を受け付けるため、電源電位線１１ｄおよび基準電位線１２ｄに電気的に接続されている。
【０１１５】
ハードディスクドライブ２００ｄは、電子機器回路２１０と、メインスイッチ２０２と、上述した機器側切替制御回路２０３ｄと、内部電源１３０ｄとを備えている。
【０１１６】
機器側切替制御回路２０３ｄは、電源側切替制御回路１５０ｄに入力禁止信号と入力許容信号を送信するための回路である。内部電源１３０ｄは、入力禁止状態において、機器側切替制御回路２０３ｄに電力を供給する電源である。入力許容状態では、機器側切替制御回路２０３ｄは、ＡＣアダプタ１００ｄから供給される電力で動作する。本実施例では、内部電源１３０ｄとして、２次電池が用いられ、入力許容状態では、ＡＣアダプタ１００ｄから供給される電力を用いて充電が行われるように構成されている。
【０１１７】
次に、図８に加えて図９を参照して、機器側切替制御回路２０３ｄと電源側切替制御回路１５０ｄによるＡＣアダプタ１００ｄの状態制御について説明する。図９は、入力禁止信号を説明する図である。機器側切替制御回路２０３ｄは、メインスイッチ２０２がオンであるかオフであるかを常に監視している。メインスイッチ２０２がオンである場合、切替スイッチ１１０ｄはオンに制御されている。
【０１１８】
この状態においてメインスイッチ２０２がオンからオフに切り替わると、機器側切替制御回路２０３ｄは、電源電位線１１ｄに入力禁止信号を出力する。図９（ａ）に示すように、ＡＣアダプタ１００ｄが入力許容状態にあるとき、電源電位線１１ｄには、電力変換部１４０により５Ｖの電圧が印加されている。機器側切替制御回路２０３ｄは、入力禁止信号として、所定の交流成分を含む電圧を、電源電位線１１ｄに重畳する。図９（ｂ）には、振幅が１Ｖの２つの矩形のパルス信号が、入力禁止信号の一例として示されている。この結果、電源電位線１１ｄには、図９（ｃ）に示す形状の電圧が生成される。入力禁止信号の形状は、矩形のパルス信号に限らず、アナログ信号など予め定められた信号であれば良い。
【０１１９】
電源側切替制御回路１５０ｄは、電源電位線１１ｄの電圧を解析して入力禁止信号を受信したか否かの判定を常に実行している。電源側切替制御回路１５０ｄは、入力禁止信号を受信していないと判定した場合は、電源電位線１１ｄの電圧を第２の入力線１４ｄに印加し続けても良く（切替スイッチ１１０ｄをオンにする電圧を印加し続けることとなる）、第２の入力線１４ｄに電圧を印加しなくても良い。電源側切替制御回路１５０ｄは、入力禁止信号を受信したと判定した場合には、切替スイッチ１１０ｄをオンからオフに切り替える。この結果、ＡＣアダプタ１００ｄは入力禁止状態となり、交流電源による電力変換部１４０での消費電力はゼロとなる。
【０１２０】
メインスイッチ２０２がオフである間、機器側切替制御回路２０３ｄは、電源電位線１１ｄに電圧を印加しない。そして、電源側切替制御回路１５０ｄには電力が供給されなくなり、電源側切替制御回路１５０ｄは動作を停止する。
【０１２１】
この状態からメインスイッチ２０２がオフからオンに切り替わると、機器側切替制御回路２０３ｄは、入力許容信号として電源電位線１１ｄに５Ｖの電圧を印加する。電源側切替制御回路１５０ｄは、電源電位線１１ｄの電位が０Ｖから５Ｖに変化すると、すなわち、入力許容信号を受け取ると、入力許容信号（５Ｖの電圧）の電力を用いて、動作を開始する。電源側切替制御回路１５０ｄは、少なくとも動作の開始時に切替スイッチ１１０ｄをオンにする電圧を切替スイッチ１１０ｄに印加する（第１の入力線１３ｄにプラス５Ｖの電圧を印加する）。この結果、切替スイッチ１１０ｄはオフからオンに切り替えられ、ＡＣアダプタ１００ｄは入力禁止状態から入力許容状態となる。そうすると、電力変換部１４０から電子機器回路２１０に直流電源が提供される。このように、電源電位線１１ｄの電圧が０Ｖから５Ｖへの変化は、切替スイッチ１１０ｄをオフからオンに切り替えるための信号（入力許容信号）に相当する。
【０１２２】
以上説明した第５実施例によれば、第１〜第４実施例と同様に、ハードディスクドライブ２００ｄのメインスイッチ２０２がオフになり、ＡＣアダプタ１００ｄから電力をハードディスクドライブ２００ｄに供給する必要がなくなったとき、切替スイッチ１１０ｄがオフにされた入力禁止状態となる。この結果、ハードディスクドライブ２００ｄのメインスイッチ２０２がオフになったとき、ＡＣアダプタ１００ｄの交流電源による電力変換部１４０の消費電力もゼロに抑制することができる。
【０１２３】
また、ＡＣアダプタ１００ｄが入力禁止状態にあるとき、内部電源１３０ｄを用いて動作する機器側切替制御回路２０３ｄによりメインスイッチ２０２を監視している。そして、メインスイッチ２０２がオンになった場合に、切替スイッチ１１０ｄがオンにされ、ＡＣアダプタ１００ｄは入力禁止状態から入力許容状態に切り替えられる。
【０１２４】
さらには、入力許容信号を、単に、電源電位線１１ｄに５Ｖの定電位を印加するだけとしているので、簡易な制御でハードディスクドライブ２００ｄのメインスイッチ２０２がオフからオンになったときに、ＡＣアダプタ１００ｄを入力禁止状態から入力許容状態へと復帰させることができる。例えば、複雑な入力許容信号を利用する場合には、その入力許容信号を解析する処理部が必要であるが、本実施例ではそのような処理部を省略することができる。
【０１２５】
（６）第６実施例：
図１０は、第６実施例における電子機器システム１０００ｅの電気的構成について説明する図である。電子機器システム１０００ｅは、ＡＣアダプタ１００ｅと、ハードディスクドライブ２００ｅとから構成されている。
【０１２６】
第６実施例におけるＡＣアダプタ１００ｅは、電力変換部１４０と、切替スイッチ１１０ｅと、切替制御部１２０ｅと、電源電位線１１ｅと、基準電位線１２ｅと、第１の入力線１３ｅと、第２の入力線１４ｅとを備え、基本的には、図２に示す第１実施例における電子機器システム１０００のＡＣアダプタ１００の構成と、内部電源１３０を備えていない点を除いて同一である。
【０１２７】
第６実施例におけるハードディスクドライブ２００ｅは、電子機器回路２１０と、メインスイッチ２０２と、制御電圧印加回路２０３ｅと、内部電源１３０ｅとを備え、基本的には、図４に示す第２実施例における電子機器システム１０００ａのハードディスクドライブ２００ａの構成と同一である。
【０１２８】
第６実施例における電子機器システム１０００ｅにおける切替制御部１２０ｅと、制御電圧印加回路２０３ｅによるＡＣアダプタ１００ｅの状態制御について、図１０に加えて図１１を参照して説明する。図１１は、ＡＣアダプタ１００ｅの状態の遷移について説明する図である。ハードディスクドライブ２００ｅのメインスイッチ２０２がオンであるとき、ＡＣアダプタ１００ｅの切替スイッチ１１０ｅもオン状態となっており、ＡＣアダプタ１００ｅは、入力許容状態となっている。したがって、電力変換部１４０から電源電位線１１ｅに直流電源として定電圧が出力され、電子機器回路２１０は、当該直流電源から電力の供給を受けて動作する。
【０１２９】
入力許容状態において、ＡＣアダプタ１００ｅの消費監視回路１２２ｅは、第１実施例と同様に、電源電位線１１ｅにおける電流値Ｉｎが規定値以下であるか否かを常に監視している。
【０１３０】
この状態で、ユーザーがハードディスクドライブ２００ｅの電源ボタン２０１を押下して、メインスイッチ２０２をオフ状態にすると、ハードディスクドライブ２００ｅの電子機器回路２１０の消費電力は、ゼロになる。そうすると、電源電位線１１ｅにおける電流値Ｉｎは、ゼロとなるため、ＡＣアダプタ１００の消費監視回路１２２ｅは、電源電位線１１ｅにおける電流値Ｉｎが規定値以下になったことを検出する。
【０１３１】
電流値Ｉｎが規定値以下になったことを検出すると、消費監視回路１２２ｅは、入力遮断制御回路１２１ｅに対して切替スイッチ１１０ｅをオフ状態にすることを指示する制御信号を送信する。当該制御信号を受信した入力遮断制御回路１２１ｅは、切替スイッチ１１０ｅをオン状態からオフ状態に切り替える。この結果、ＡＣアダプタ１００ｅは、入力禁止状態となる。ここまでの制御は、第１実施例における制御と同じである。
【０１３２】
入力禁止状態になると、電力変換部１４０から電源電位線１１ｅと基準電位線１２ｅへの定電圧の出力がなくなる。そして、第１実施例と異なり、ＡＣアダプタ１００ｅは、内部電源１３０を備えていない。このため、消費監視回路１２２ｅは、入力禁止状態の監視を行わない（行えない）。
【０１３３】
入力禁止状態となり、電力変換部１４０から電子機器回路２１０への電力の供給がなくなると、ハードディスクドライブ２００ｅにおける制御電圧印加回路２０３ｅは、内部電源１３０ｅから電力の供給を受けて、メインスイッチ２０２を監視する。また、電源電位線１１ｅの電圧を０Ｖにする。制御電圧印加回路２０３ｅは、メインスイッチ２０２がオフからオンになることを検出すると、制御電圧印加回路２０３ｅは、第５実施例と同様に、入力許容信号として、電源電位線１１ｅに５Ｖの電圧を印加する。消費監視回路１２２ｅは、電源電位線１１ｅの電位が０Ｖから５Ｖに変化すると、すなわち、入力許容信号を受け取ると、入力許容信号の電力を用いて、入力遮断制御回路１２１ｅに切替スイッチ１１０ｅをオフからオンに切り替えさせる。この結果、ＡＣアダプタ１００ｅは入力禁止状態から入力許容状態となり、電力変換部１４０から電子機器回路２１０に直流電源が提供される。
【０１３４】
以上説明した第６実施例によれば、ハードディスクドライブ２００ｅのメインスイッチ２０２がオフになり、ＡＣアダプタ１００ｅから電力をハードディスクドライブ２００ｅに供給する必要がなくなったとき、ＡＣアダプタ１００ｅ側において電源電位線１１ｅにおける電流値Ｉｎが規定値以下になったことを検出して、切替スイッチ１１０ｅがオフにされた入力禁止状態となる。この結果、ハードディスクドライブ２００ｅのメインスイッチ２０２がオフになったとき、ＡＣアダプタ１００ｅの交流電源による電力変換部１４０の消費電力もゼロに抑制することができる。
【０１３５】
また、ＡＣアダプタ１００ｅが入力禁止状態にあるとき、内部電源１３０ｅを用いて動作する制御電圧印加回路２０３ｅによりメインスイッチ２０２を監視している。そして、メインスイッチ２０２がオンになった場合に、切替スイッチ１１０ｅがオンにされ、ＡＣアダプタ１００ｅは入力禁止状態から入力許容状態に切り替えられる。
【０１３６】
さらには、入力許容信号を、単に、電源電位線１１ｅに５Ｖの定電位を印加するだけとしているので、簡易な制御で、ハードディスクドライブ２００ｅのメインスイッチ２０２がオフからオンになったときに、ＡＣアダプタ１００ｅを入力禁止状態から入力許容状態へと復帰させることができる。
【０１３７】
さらには、入力許容状態から入力禁止状態への移行は、ＡＣアダプタ１００ｅ側において自動的に行われるので、第５実施例のように入力禁止信号をハードディスクドライブ２００ａ側から送信する必要がない。このため、パルス信号などの入力禁止信号を生成する回路を設けることなく、入力許容状態から入力禁止状態への移行を実現することができる。
【０１３８】
（７）第７実施例：
図１２は、第７実施例における電子機器システム１０００ｆの電気的構成について説明する図である。電子機器システム１０００ｆは、ＡＣアダプタ１００ａと、ハードディスクドライブ２００ｆとを備えており、外部接続用バス２０を介して、パーソナルコンピュータ３００と接続されている。外部接続用バス２０は、パーソナルコンピュータ３００からハードディスクドライブ２００ｆへ電力を供給可能な電力供給端子付きのバス（例えば、ＵＳＢなど）である。
【０１３９】
電子機器システム１０００ｆのＡＣアダプタ１００ａは、第２実施例におけるＡＣアダプタ１００ａ（図４）と同一であるので、ＡＣアダプタ１００ａの構成については図１２において図４と同一の符号を付し、その説明を省略する。
【０１４０】
電子機器システム１０００ｆのハードディスクドライブ２００ｆは、制御電圧印加回路２０３ｆと、送受信回路２１２ｆと、リード／ライトコントローラ２１４ｆと、ディスク装置２１６ｆとを備えている。制御電圧印加回路２０３ｆと送受信回路２１２ｆは、外部接続用バス２０を介して、パーソナルコンピュータ３００から供給される電力で動作する。一方、リード／ライトコントローラ２１４ｆとディスク装置２１６ｆは、ＡＣアダプタ１００ａから電源電位線１１ａおよび基準電位線１２ａを介して供給される電力で動作する。送受信回路２１２ｆとリード／ライトコントローラ２１４ｆとは内部バス２２０ｆを介してデータ通信可能に接続されている。
【０１４１】
制御電圧印加回路２０３ｆは、送受信回路２１２ｆからの指示（制御信号）に従って、第２実施例における制御電圧印加回路２０３ａと同一の動作により、ＡＣアダプタ１００ａを入力禁止状態と入力許容状態とのいずれかに制御する。
【０１４２】
送受信回路２１２ｆは、外部接続用バス２０を介して、パーソナルコンピュータ３００とデータの遣り取りを行うとともに、内部バス２２０ｆを介して、リード／ライトコントローラ２１４ｆとデータの遣り取りを行うための回路である。本実施例の送受信回路２１２ｆは、さらに、制御信号を送信して制御電圧印加回路２０３ｆを制御することができるが、この制御については後述する。
【０１４３】
リード／ライトコントローラ２１４ｆは、ディスク装置２１６ｆに記憶されているデータを読み出して送受信回路２１２ｆに送信するリード処理と、送受信回路２１２ｆから受信したデータをディスク装置２１６ｆに書き込むライト処理を行うコントローラである。
【０１４４】
図１２に加えて、図１３を参照して、送受信回路２１２ｆと制御電圧印加回路２０３ｆによるＡＣアダプタ１００ａの状態制御について説明する。図１３は、ＡＣアダプタ１００ｆの状態の遷移について説明する図である。
【０１４５】
ハードディスクドライブ２００ｆは、省電力状態と、リード／ライト可能状態との２つの動作状態に遷移することができる。省電力状態は、ディスク装置２１６ｆの動作（アイドリング動作など）およびリード／ライトコントローラ２１４ｆの動作を停止して、送受信回路２１２ｆと制御電圧印加回路２０３ｆのみを起動した状態である。省電力状態では、パーソナルコンピュータ３００からのアクセスを受け付けることはできるが、アクセスに応じてリード処理またはライト処理を行うことはできない。
【０１４６】
リード／ライト可能状態は、ディスク装置２１６ｆ、リード／ライトコントローラ２１４ｆ、制御電圧印加回路２０３ｆ、送受信回路２１２ｆを全て起動した状態である。リード／ライト可能状態では、パーソナルコンピュータ３００からのアクセスに応じて、リード処理またはライト処理を行うことができる。
【０１４７】
ハードディスクドライブ２００ｆがリード／ライト可能状態であるときに、所定期間（例えば、１０分）に亘って、パーソナルコンピュータ３００からアクセスがない場合、送受信回路２１２ｆは、制御電圧印加回路２０３ｆに、省電力状態移行指示信号を送信する。省電力状態移行指示信号は、制御電圧印加回路２０３ｆに対して、ＡＣアダプタ１００ａを入力許容状態から入力禁止状態に切り替えるように指示する制御信号である。
【０１４８】
制御電圧印加回路２０３ｆは、第２実施例における制御電圧印加回路２０３ａと同一の制御を行い、ＡＣアダプタ１００ａを入力許容状態から入力禁止状態に切り替える。この結果、リード／ライトコントローラ２１４ｆとディスク装置２１６ｆは動作を停止して、ハードディスクドライブ２００ｆは省電力状態に移行する。
【０１４９】
一方、ハードディスクドライブ２００ｆが省電力状態にあるときに、パーソナルコンピュータ３００からのアクセス（読み出しのためのアクセスまたは書き込みのためのアクセスのいずれでも良い。）を受け付けると、送受信回路２１２ｆは、制御電圧印加回路２０３ｆにリード／ライト可能状態移行指示信号を送信する。リード／ライト可能状態移行指示信号は、制御電圧印加回路２０３ｆに対して、ＡＣアダプタ１００ａを入力禁止状態から入力許容状態に切り替えるように指示する制御信号である。
【０１５０】
制御電圧印加回路２０３ｆ、第２実施例における制御電圧印加回路２０３ａと同一の制御を行い、ＡＣアダプタ１００ａを入力禁止状態から入力許容状態に切り替える。この結果、リード／ライトコントローラ２１４ｆとディスク装置２１６ｆが起動され、ハードディスクドライブ２００ｆはリード／ライト可能状態に移行する。
【０１５１】
このように、ＡＣアダプタ１００ａを入力許容状態から入力禁止状態に切り替えるタイミングは、上記第１〜第６実施例のように、メインスイッチ２０２のオン／オフのタイミングに限られない。例えば、第７実施例のように、消費電力が大きい第１の状態と消費電力が小さい第２の状態を取り得る電子機器において、第１の状態から第２の状態に移行するとき（直前でも直後でも良い）に入力許容状態から入力禁止状態に切り替えても良い。また、当該電子機器において、第２の状態から第１の状態に移行する（直前でも直後でも良い）ときに入力禁止状態から入力許容状態に切り替えても良い。
【０１５２】
（８）変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【０１５３】
・変形例１
上記第１実施例において、入力禁止状態において電源電位線１１に、入力許容状態において電源電位線１１に出力される電圧（第１実施例では、５Ｖ）と同じ電圧を内部電源１３０によって印加している。これに代えて、入力禁止状態において電源電位線１１に、入力許容状態において電源電位線１１に出力される電圧と異なる電圧を印加しても良い。例えば、入力禁止状態において電源電位線１１に、入力許容状態において電源電位線１１に出力される電圧より低い電圧（例えば、１Ｖ）を印加しても良い。電子機器回路２１０の内部抵抗等によっては、メインスイッチ２０２がオンの状態において、電子機器回路２１０は、１Ｖの電圧では正常には動作しない場合もあり得るが、少量の電流が流れうる。このとき、ＡＣアダプタ１００の消費監視回路１２２が当該少量の電流を検出して、切替スイッチ１１０をオン状態に切り替えることとすれば良い。こうすれば、入力禁止状態から入力許容状態に移行する際における内部電源１３０の消費電力をより効果的に抑制することができる。
【０１５４】
・変形例２
上記第１実施例では、入力禁止状態において、電源電位線１１に内部電源１３０を用いて電圧を印加し、電源電位線１１における電流値が規定値以上であるか否かを監視している。これに代えて、電源電位線１１の電圧の降下を監視し、電圧の降下が規定値を超えた場合に、入力禁止状態から入力許容状態に切り替えることとしても良い。こうすれば、ハードディスクドライブ２００のメインスイッチ２０２がオンになったときに、入力禁止状態から入力許容状態に切り替えることができるとともに、内部電源１３０の出力が弱くなってハードディスクドライブ２００のメインスイッチ２０２がオフであるにも拘わらず、電圧が降下した場合であっても入力禁止状態から入力許容状態に切り替えて内部電源１３０を充電することができる。このため、容量の小さな２次電池を内部電源１３０に適用することが可能となる。また、入力禁止状態において内部電源１３０の不具合により電源電位線１１の電圧が降下した場合には、入力許容状態へと切り替るので内部電源１３０の不具合によってＡＣアダプタ１００が機能しなくなる不都合を回避することができる。
【０１５５】
・変形例３
上記第１、第５〜第７実施例では、ＡＣアダプタの切替スイッチとしてラッチング方式のリレーを用いたが、このような有接点スイッチに限られない。ＡＣアダプタの切替スイッチとして、ＭＯＳＦＥＴなどを用いた半導体リレー（無接点スイッチ）を用いても良い。半導体リレーは、有接点スイッチと比較して、寿命が長い、静音性に優れる、小型である、消費電力が少ないという利点がある。具体的には、例えば、第１実施例において、ノーマリーオフ（ａ接点）タイプの半導体リレーを用いて、入力遮断制御回路１２１は、入力禁止状態とする場合には、第１の入力線１３と第２の入力線１４との間に電圧を印加せず、入力許容状態とする場合には、第１の入力線１３と第２の入力線１４との間に所定の電圧（例えば、１Ｖ）を印加することとすれば良い。
【０１５６】
・変形例４
第１〜第６実施例において内部電源は、二次電池に限らず、ＡＣアダプタの電力変換部１４０に交流電力を入力する交流電源と異なる種々の電源が用いられ得る。例えば、一次電池、太陽電池、コンデンサーなどが用いられ得る。また、内部電源がハードディスクドライブ側にある第２〜第６実施例では、内部電源に代えて、第７実施例と同様にパーソナルコンピュータとハードディスクドライブを接続するために用いられているＵＳＢを介して供給される電力を用いても良い。一般的に言えば、電力変換部１４０に入力される交流電源とは異なるあらゆる電源から供給される電力を用いても良い。
【０１５７】
・変形例５
上記第５実施例において、ＡＣアダプタ１００ｄを入力禁止状態から入力許容状態に切り替えるとき、機器側切替制御回路２０３ｄは、交流成分を含む入力禁止信号を、電源電位線１１ｄを介して電源側切替制御回路１５０ｄに送信しているが、これに限られない。例えば、機器側切替制御回路２０３ｄは、ＡＣアダプタ１００ｄの定格電圧（第５実施例では、５Ｖ）を上回る定電圧（例えば、６Ｖ）を一定時間に亘り電源電位線１１ｄに印加することとしても良い。こうすれば、電源側切替制御回路１５０ｄは、電源電位線１１ｄにおける電圧の上昇を検出したときに、切替スイッチ１１０ｄをオンからオフに切り替えることとすれば良い。また、機器側切替制御回路２０３ｄは、電子機器回路２１０の内部抵抗値を調整してＡＣアダプタ１００ｄの定格電流（例えば、２Ａ（アンペア））を超える負荷電流（例えば、２．５Ａ）をＡＣアダプタ１００ｄに出力させても良い。こうすれば、ＡＣアダプタ１００ｄの電源電位線１１ｄの電圧が低下するので、電源側切替制御回路１５０ｄは、当該電圧低下を検出したときに、切替スイッチ１１０ｄをオンからオフに切り替えることとすれば良い。
【０１５８】
・変形例６
上記第１〜第７実施例では、電力変換部１４０としてスイッチング方式を採用しているが、これに限られずあらゆる方式が採用されうる。例えば、いわゆるシリーズ方式を採用しても良い。
【０１５９】
・変形例７
上記各実施例において、切替スイッチ１１０、１００ａ〜１００ｅは、交流電源と、電力変換部１４０の最上流側の回路である入力整流回路１４１との間に配置されている（図２参照）が、これに限られない。例えば、切替スイッチ１１０、１００ａ〜１００ｅは、入力整流回路１４１と入力平滑回路１４２の間に配置されても良いし、入力平滑回路１４２とスイッチング回路１４３との間に配置されても良い。
【０１６０】
・変形例８
上記各実施例では、ＡＣアダプタ１００、１００ａ〜１００ｅが直流電源を供給する対象としてハードディスクドライブを一例として挙げているが、直流電源の供給対象は、直流電源を電源として動作するあらゆる機器が採用されうる。例えば、供給対象は、パーソナルコンピュータ、ブルーレイレコーダー、ＤＶＤレコーダー、ルータ、ＳＳＤ（Solid State Drive）、ディスプレイ、複写機、ＴＶなどであっても良い。
【０１６１】
・変形例９
上記各実施例では、ハードディスクドライブの筐体と、ＡＣアダプタの筐体とは別体となっているが、ハードディスクドライブの筐体の内部に電力変換部１４０を収納する構成としても良い。
【０１６２】
・変形例１０
切替制御部１２０、１２０ｅ、制御電圧印加回路２０３ａ〜２０３ｃ、２０３ｅ、２０３ｆ、機器側切替制御回路２０３ｄのそれぞれの内部構成は、上述のように動作する種々の構成を採用可能である。
【符号の説明】
【０１６３】
１１、１１ａ〜１１ｅ...電源電位線
１０...コード
１２、１２ａ〜１２ｅ...基準電位線
１３、１３ａ〜１３ｅ...第１の入力線
１４、１４ａ〜１４ｅ...第２の入力線
２０...外部接続用バス
１００、１００ａ〜１００ｆ...ＡＣアダプタ
１１０、１１０ａ〜１１０ｅ...切替スイッチ
１２０、１２１ｅ...切替制御部
１２１、１２１ｅ...入力遮断制御回路
１２２、１２２ｅ...消費監視回路
１３０、１３０ａ〜１３０ｅ...内部電源
１４０...電力変換部
１４１...入力整流回路
１４２...入力平滑回路
１４３...スイッチング回路
１４４...トランス
１４５...出力整流回路
１４６...出力平滑回路
１４７...フィードバック検出回路
１４８...スイッチング制御回路
１５０ｄ...電源側切替制御回路
２００、２００ａ〜２００ｆ...ハードディスクドライブ
２０１...電源ボタン
２０２...メインスイッチ
２０３ａ〜２０３ｃ、２０３ｅ、２０３ｆ...制御電圧印加回路
２０３ｄ...機器側切替制御回路
２１０...電子機器回路
２１２ｆ...送受信回路
２１６ｆ...ディスク装置
２２０ｆ...内部バス
３００...パーソナルコンピュータ
１０００、１０００ａ〜１０００ｆ...電子機器システム
２１４ｆ...リード／ライトコントローラ
【図１】
2012016139.tif 000003
【図２】
2012016139.tif 000004
【図３】
2012016139.tif 000005
【図４】
2012016139.tif 000006
【図５】
2012016139.tif 000007
【図６】
2012016139.tif 000008
【図７】
2012016139.tif 000009
【図８】
2012016139.tif 000010
【図９】
2012016139.tif 000011
【図１０】
2012016139.tif 000012
【図１１】
2012016139.tif 000013
【図１２】
2012016139.tif 000014
【図１３】
2012016139.tif 000015